(57)【要約】【課題】温水洗浄便座において、タンク内の水をヒータで加熱する場合、タンクを便座の後方に収納する構成が必要となり、タンクへの給水配管、タンクからおしり洗浄ノズルとビデ洗浄ノズルへ供給する配管、タンク内の水位制御装置、タンク内の水を加熱するヒータの取り付け装置、タンク内の異常温度保護装置、タンク内の圧力調整装置等が必要であり、部品数も多くなり、組み立ても複雑化し、タンクからの漏水の懸念等の問題がある。本発明はこの方式に替わって、おしり洗浄ノズルとビデ洗浄ノズルの部分で洗浄水を瞬間加熱する方式とし、上記のような問題を解決するものである。【解決手段】洗浄ノズルは、待機状態ではバネ力によってガイド筒内に退避状態に収納され、洗浄モードにてバネ力に抗する水道水の水圧によって進出し洗浄水を噴出する仕組みであり、洗浄ノズルが磁性材で構成され、洗浄モードにてガイド筒に取り付けた誘導加熱コイルに通電して洗浄ノズルを誘導電流によって発熱して洗浄水を加熱すること。【選択図】図４
2009235834.tif 000002
【特許請求の範囲】
【請求項１】
水道水配管に接続された導水管を通って供給される水道水が加熱要素にて加熱されて洗
浄水として噴出する洗浄ノズルを備え、前記洗浄ノズルを前記水道水の水圧やモータによ
って進出し、人体に向けて洗浄水を噴出する仕組みである温水洗浄便座装置において、前
記洗浄ノズルが磁性材で構成され、前記加熱要素が前記洗浄ノズルを外周から加熱する誘
導加熱コイルであり、前記洗浄ノズルより洗浄水を噴出する洗浄モードにて、前記誘導加
熱コイルの通電による前記洗浄ノズルの発熱によって前記洗浄ノズル内の洗浄水を加熱す
ることを特徴とする温水洗浄便座装置。
【発明の詳細な説明】
【技術分野】
【０００１】
本発明は、水道水配管に接続された導水管を通って供給される水道水が、加熱要素にて
加熱されて洗浄ノズルから噴出し、便座に着座した人の部位を洗浄する温水洗浄便座装置
に関する。
【背景技術】
【０００２】
樹脂性のタンク内の水をヒータで加熱し、おしり洗浄ノズルとビデ洗浄ノズルによる洗
浄開始、洗浄停止等を行うスイッチを備えた操作部を便座の側方に配置し、この操作部の
スイッチ操作によって、タンク内の温水を前記おしり洗浄ノズルまたはビデ洗浄ノズルか
ら噴出させる温水洗浄便座装置がある。（特許文献１参照）。
【特許文献１】特開２００１−９８６１５号公報
【発明の開示】
【発明が解決しようとする課題】
【０００３】
このようにタンク内の水をヒータで加熱するため、このタンクを便座の後方に収納する
構成が必要となり、また、このタンクへの給水配管、このタンクからおしり洗浄ノズルと
ビデ洗浄ノズルへ供給する配管、このタンク内の水位制御装置、このタンク内の水を加熱
するヒータの取り付け装置、このタンク内の異常温度保護装置、このタンク内の圧力調整
装置等が必要であり、部品数も多くなり、組み立ても複雑化し、またタンクからの漏水の
懸念等の問題がある。
【０００４】
また、他の方式として、水道水管からおしり洗浄ノズルとビデ洗浄ノズルへ至る水道水
の供給水管路に、この管路を流れる水道水を電気ヒータで加熱するためのアルミニウム等
で構成された加熱ブロックを設け、水道水をこの加熱ブロックを通しつつ加熱する方式も
考えられるが、特別な加熱ブロックが必要となり、この加熱ブロックの入口と出口への供
給水管路の接続や、この接続部からの漏水の懸念等の問題がある。
【０００５】
本発明は、このような方式に替わって、おしり洗浄ノズルとビデ洗浄ノズルの部分で洗
浄水を瞬間加熱する方式とし、上記のような問題を解決するものである。
【課題を解決するための手段】
【０００６】
本発明は、水道水配管に接続された導水管を通って供給される水道水が加熱要素にて加
熱されて洗浄水として噴出する洗浄ノズルを備え、前記洗浄ノズルを前記水道水の水圧や
モータによって進出し、人体に向けて洗浄水を噴出する仕組みである温水洗浄便座装置に
おいて、前記洗浄ノズルが磁性材で構成され、前記加熱要素が前記洗浄ノズルを外周から
加熱する誘導加熱コイルであり、前記洗浄ノズルより洗浄水を噴出する洗浄モードにて、
前記誘導加熱コイルの通電による前記洗浄ノズルの発熱によって前記洗浄ノズル内の洗浄
水を加熱することを特徴とする。
【発明の効果】
【０００７】
本発明によって、誘導加熱コイルがガイド筒に取り付けられ、この誘導加熱コイルへの
通電によって、ガイド筒内の洗浄ノズルが発熱するため、従来技術のような温水を生成す
るタンクやアルミニウム等で構成された加熱ブロックも不要となり、上記の問題も解決す
る。また、洗浄ノズルそのものが発熱するため、洗浄ノズルを衛生的に保つ効果も期待で
きる。
【発明を実施するための最良の形態】
【０００８】
本発明の温水洗浄便座装置は、水道水配管に接続された導水管を通って供給される水道
水が加熱要素にて加熱されて洗浄水として噴出する洗浄ノズルを備え、前記洗浄ノズルを
前記水道水の水圧やモータによって進出し、人体に向けて洗浄水を噴出する仕組みである
温水洗浄便座装置において、前記洗浄ノズルが磁性材で構成され、前記加熱要素が前記洗
浄ノズルを外周から加熱する誘導加熱コイルであり、前記洗浄ノズルより洗浄水を噴出す
る洗浄モードにて、前記誘導加熱コイルの通電による前記洗浄ノズルの発熱によって前記
洗浄ノズル内の洗浄水を加熱するものであり、本発明の実施例を以下に記載する。
【実施例１】
【０００９】
本発明の実施形態について説明する。図１は本発明に係る温水洗浄便座装置の蓋が閉ま
った状態の斜視図、図２は本発明に係る温水洗浄便座装置の蓋と機能部分のカバーを取り
外した状態の機能部分と制御ボックス内を示す正面斜視図、図３は本発明に係る温水洗浄
便座装置の着座検出スイッチ装置部分の断面図、図４は本発明に係る温水洗浄便座装置の
待機モードを示す構成図、図５は本発明に係る温水洗浄便座装置のおしり洗浄モードを示
す構成図、図６は本発明に係る温水洗浄便座装置のビデ洗浄モードを示す構成図、図７は
本発明に係る温水洗浄便座装置の制御装置の構成図である。
【００１０】
図において、１は本発明の温水洗浄便座装置を示しており、裏側から絶縁被覆されたコ
ードヒータ（図示せず）で加温される便座２と、便座２の上面を覆う開閉蓋３と、便座２
及び開閉蓋３の後方に位置して後述の機能部１０を配置すると共に便座２及び開閉蓋３を
開閉回動可能に支持する基材部８を備えている。基材部８には、洗浄ノズルとして便座２
の後部下側へ延びるおしり（肛門）洗浄用ノズル４Ａとビデ洗浄用ノズル４Ｂ、及び電装
部６等の機能部１０が配設され、この機能部１０を覆うようにカバー７が基材部８に着脱
自在に取り付けられている。カバー７の一部がパネル７Ａになっている。蓋３の後端部の
駆動側（図では右側）は、基材部８に支持部材を介して取り付けた電動機装置９によって
往復回転する回転軸１１に取り付けられて、蓋３が上方に開閉回動可能である。
【００１１】
また、便座２の後端部の駆動側（図では左側）は、基材部８に取り付けた電動機装置１
２によって往復回転する回転軸１３に取り付けられて、便座２が上方に開閉回動可能であ
る。また、便座２の後端部の従動側（図では右側）は、便座２の後端部から水平方向に外
向きに突出した円筒状軸部２４が一体に形成され、この円筒状軸部２４が後述の着座検出
装置２５のタクトスイッチ２８の作動部として作用する。なお、この円筒状軸部２４へ緩
く進入するように基材部８から延びた水平方向軸によって、回動可能且つ上下動可能に支
持するようにしてもよい。また、円筒状軸部２４が基材部８の軸受け部に上下動可能に支
持される構成でもよい。
【００１２】
洗浄水として供給される水道水は、パイプジョイント装置１４によって水道水配管に接
続された導水管１９に取り付けたごみ取り用のストレーナ６２と逆止弁６３を通過した後
、電磁弁４０と減圧弁４１を順次通り、後述の開閉弁４７を経て水道水路の途中に設けた
接続部１９Ａから導水管７５を経て、後述のノズル通路切り替え弁４８機構から、おしり
（肛門）洗浄用ノズル４Ａとビデ洗浄用ノズル４Ｂの入口側へ流入する。
【００１３】
基材部８には、便座２の側方（図では右側）に配置した上面開口の制御ボックス８０が
連結されており、機能部１０を覆うカバー７に一体または別体に制御ボックス８０の上面
を覆うカバー８４が設けられている。制御ボックス８０内には、おしり（肛門）洗浄用ノ
ズル４Ａとビデ洗浄用ノズル４Ｂによる洗浄開始、洗浄停止等を行うスイッチＳＷを取り
付けた絶縁性基板８１を内蔵している。制御ボックス８０の上面開口は、カバー（図示せ
ず）で覆われ、このカバーの上面はスイッチＳＷの手動操作部８３を構成する可撓性薄板
８５で覆われている。手動操作部８３を押すことによって、対応するスイッチＳＷが作動
する。
【００１４】
前記スイッチＳＷは絶縁性基板８１に取り付けられており、このスイッチＳＷは、実施
例では、おしり（肛門）洗浄開始スイッチ４３Ａ、ビデ洗浄開始スイッチ４３Ｂ、洗浄停
止スイッチ４４、後述の誘導加熱コイル４２Ａ、４２Ｂの通電ＯＮ−ＯＦＦスイッチ４５
、洗浄水の水勢調節スイッチ４９Ａ、４９Ｂ、後述の誘導加熱コイル４２Ａ、４２Ｂの電
流を可変して洗浄水の温度を可変する洗浄水温可変スイッチ６４等である。絶縁性基板８
１には、これらのスイッチＳＷが接続された制御部６０（制御回路部６０と称してもよい
）と、前記通電ＯＮ−ＯＦＦスイッチ４５がＯＮ状態で発光するＬＥＤ（発光ダイオード
）８２が取り付けられている。ＬＥＤ（発光ダイオード）８２の発光が制御ボックス８０
の上面から目視できるように、ＬＥＤ（発光ダイオード）８２の光は、カバー８４を貫通
した透孔から可撓性薄板８５の透明部に照射される。
【００１５】
おしり洗浄用ノズル４Ａとビデ洗浄用ノズル４Ｂは、図４乃至図６に示すように筒状を
なしており、ガイド筒を構成するノズルカバー４Ａ１、４Ｂ１内に進退可能に収容されて
おり、供給される水道水圧によって進出するようにするために、洗浄モードに入る前の待
機モードでは、おしり洗浄用ノズル４Ａとビデ洗浄用ノズル４Ｂは、図４のように、それ
ぞれコイル状のバネ４Ａ２、４Ｂ２のバネ力によって、ガイド筒を構成するノズルカバー
４Ａ１、４Ｂ１内に退避収容された状態であり、洗浄モードにおいて、おしり洗浄用ノズ
ル４Ａとビデ洗浄用ノズル４Ｂは、水道水圧によってそれぞれコイルバネ４Ａ２、４Ｂ２
をそのバネ力に抗して圧縮しつつ前方へ進出する仕組みである。
【００１６】
組み立てのし易さ等を考慮して、図に示すように、コイルバネ４Ａ２、４Ｂ２及びノズ
ルカバー４Ａ１、４Ｂ１を含むおしり洗浄用ノズル４Ａとビデ洗浄用ノズル４Ｂの機構、
ステッピングモータ４６を含む開閉弁４７機構とノズル通路切り替え弁４８機構は、１つ
の洗浄ノズルユニットＮＵを構成している。
【００１７】
おしり（肛門）洗浄用ノズル４Ａとビデ洗浄用ノズル４Ｂは、例えば、着磁特性のステ
ンレススチールのような錆び難い磁性材料で構成され、耐熱性合成樹脂製のノズルカバー
４Ａ１、４Ｂ１内に前進と後退が可能に収納されている。ノズルカバー４Ａ１、４Ｂ１に
は、加熱要素として誘導加熱コイル４２Ａ、４２Ｂが、それぞれおしり（肛門）洗浄用ノ
ズル４Ａとビデ洗浄用ノズル４Ｂをその長さ方向に沿って外周から加熱するように、おし
り（肛門）洗浄用ノズル４Ａとビデ洗浄用ノズル４Ｂを取り巻くように取り付けられてい
る。誘導加熱コイル４２Ａ、４２Ｂは、それぞれ対応するノズルカバー４Ａ１、４Ｂ１の
外側に配置した形態と、ノズルカバー４Ａ１、４Ｂ１の成形時に埋設状態に取り付けた形
態、またはその他の形態のいずれでもよい。また、誘導加熱コイル４２Ａ、４２Ｂによっ
て生じる外部磁界を遮断するために、誘導加熱コイル４２Ａ、４２Ｂを覆うようにノズル
カバー４Ａ１、４Ｂ１の外側周囲をアルミニウム等の遮蔽部材で覆う構成がよい。この誘
導加熱コイル４２Ａ、４２Ｂは、後述のように、制御部６０の動作によって洗浄モードに
て通電され、洗浄ノズル４Ａ、４Ｂを流れる誘導電流によって洗浄ノズル４Ａ、４Ｂが発
熱し、その発熱によって洗浄ノズル４Ａ、４Ｂ内を流れる洗浄水を瞬間加熱する方式であ
る。おしり洗浄用ノズル４Ａとビデ洗浄用ノズル４Ｂ内を流れる洗浄水を有効加熱するた
めに、誘導加熱コイル４２Ａ、４２Ｂは、筒状のおしり洗浄用ノズル４Ａとビデ洗浄用ノ
ズル４Ｂをその長さに亘って略全体を加熱すべく、図４乃至図６に示すようにノズルカバ
ー４Ａ１、４Ｂ１の長さに亘って配設している。誘導加熱コイル４２Ａ、４２Ｂの通電は
、洗浄モードの終了によって非通電となる。制御部６０には、誘導加熱コイル４２Ａ、４
２Ｂへ電力を供給するインバータ電源等が含まれている。
【００１８】
導水管１９によって供給される水道水の給水路には、この給水路を開閉する開閉弁４７
が設けられている。導水管１９は、電磁弁４０または開閉弁４７のいずれかの弁装置によ
って開閉するものでもよいが、実施例では電磁弁４０と開閉弁４７の二つ弁装置によって
開閉されるようにしているのは、一方の弁装置が導水管１９を開いたままで故障しても、
他方の弁装置が導水管１９を閉じておれば、水道水圧が温水タンク５へ掛かることが無い
ための安全を考慮したものである。
【００１９】
導水管１９から供給される洗浄水をおしり洗浄用ノズル４Ａへ供給するか、ビデ洗浄用
ノズル４Ｂへ供給するかを切り替えるノズル通路切り替え弁４８が、おしり洗浄用ノズル
４Ａ側の入口通路７４Ａとビデ洗浄用ノズル４Ｂ側の入口通路７４Ｂの分岐部７２に設け
られている。開閉弁４７とノズル通路切り替え弁４８は、１つのステッピングモータ４６
によって正転・逆転する回動軸７０と、この回動軸７０を収容した筒体７１によって構成
されている。開閉弁４７機構は、回動軸７０の回転によって水入口通路ＥＴと水出口通路
ＸＴを連通する構成である。また、ノズル通路切り替え弁４８の機構は、回動軸７０の先
端から軸方向へ形成した有底の中空通路７３と、この中空通路７３に連通するように回動
軸７０の一部を貫通した連通路４８Ａが形成されていて、回動軸７０の回転によっておし
り洗浄用ノズル４Ａ側へ洗浄水を流すか、ビデ洗浄用ノズル４Ｂ側へ洗浄水を流すかの切
り替えを行なう構成である。
【００２０】
洗浄モードに入る前の待機モードにおいては、図４に示すように、開閉弁４７機構では
、水入口通路ＥＴと水出口通路ＸＴを連通しない位置にあり、開閉弁４７が閉じた状態で
ある。また、ノズル通路切り替え弁４８機構では、通路４８Ａが筒体７１によって塞がれ
た状態であり、中空通路７３がおしり洗浄用ノズル４Ａ側の入口通路７４Ａとビデ洗浄用
ノズル４Ｂ側の入口通路７４Ｂのいずれにも連通していない状態である。このため、図４
に示すように、おしり洗浄用ノズル４Ａとビデ洗浄用ノズル４Ｂが、それぞれコイルバネ
４Ａ２、４Ｂ２によって、ノズルカバー４Ａ１、４Ｂ１内に収容された状態である。
【００２１】
便座２は、その裏側に間隔を存して複数個の弾性脚部が設けられ、便器上面フランジ部
に便座２を倒した状態で、この弾性脚部が便器上面フランジ部に当接する。この弾性脚部
によって、便座２に着座した使用者の体重によって軸部２４側が下降する構成であり、軸
部２４が下降することによって、スイッチカバー３４がコイルバネ３５を圧縮して、着座
検出装置２５のタクトスイッチ２８の作動部２９が下方へ押され、タクトスイッチ２８が
作動する仕組みである。また、着座状態の便座２から人が離れることによって、タクトス
イッチ２８が復帰する。
【００２２】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、洗浄モードとなり、制御部６０が作動して、おしり洗浄用ノズル４Ａまたは
ビデ洗浄用ノズル４Ｂが進出してその進出したノズルから洗浄水が噴出する。この噴出は
、洗浄停止スイッチ４４を便座２の使用者がＯＮ操作することによって停止する。
【００２３】
このように、おしり洗浄開始スイッチ４３Ａまたはビデ洗浄開始スイッチ４３Ｂの操作
によって、制御部６０が作動し、洗浄水が、おしり洗浄用ノズル４Ａまたはビデ洗浄用ノ
ズル４Ｂから噴出する制御について以下に説明する。
【００２４】
水道水は、後述のように、水道水配管に接続された導水管１９に取り付けた電磁弁４０
と減圧弁４１を順次通り、開閉弁４７を経て洗浄水として供給される。通常使用状態にお
いて洗浄モードに入る前の待機モードでは、電磁弁４０と開閉弁４７が導水管１９を閉じ
ている。洗浄モードでない待機モードでは、おしり洗浄用ノズル４Ａとビデ洗浄用ノズル
４Ｂは、図４のようにそれぞれコイルバネ４Ａ２、４Ｂ２によって、ノズルカバー４Ａ１
、４Ｂ１内に収容された退避状態（後退状態）である。
【００２５】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、制御部６０が作動し洗浄モードとなる。即ち、タクトスイッチ２８による着
座検出と、おしり洗浄開始スイッチ４３Ａまたはビデ洗浄開始スイッチ４３ＢのＯＮの両
方が整ったとき（ＡＮＤ状態）によって、洗浄モードとなる。
【００２６】
この洗浄モードは、おしり洗浄モードとビデ洗浄モードがある。先ず、おしり洗浄モー
ドについて説明する。誘導加熱コイル４２Ａ、４２Ｂの通電ＯＮ−ＯＦＦスイッチ４５は
、ＯＮ状態になっているものとする。おしり洗浄開始スイッチ４３Ａに対応する手動操作
部８３を押しておしり洗浄開始スイッチ４３ＡをＯＮすることにより、制御部６０の動作
によって洗浄モードが開始する。このため、制御部６０の動作によって、誘導加熱コイル
４２Ａに通電され、おしり（肛門）洗浄用ノズル４Ａが誘導電流によって発熱する。これ
と共に、制御部６０の動作によって通電によって電磁弁４０が開くと共に、ステッピング
モータ４６が制御部６０からのパルス信号によってステップ作動して回動軸７０が正回転
し、開閉弁４７機構では、水入口通路ＥＴと水出口通路ＸＴを連通するように開閉弁４７
が開いた状態となり、水道水圧が掛かる状態となる。また、このステッピングモータ４６
の動作によって、ノズル通路切り替え弁４８機構では、連通路４８Ａがおしり洗浄用ノズ
ル４Ａ側の入口通路７４Ａに連通した状態となる。このため、水道水圧によって洗浄水が
おしり洗浄用ノズル４Ａへ供給され、図５のように、その水圧によっておしり洗浄用ノズ
ル４Ａがコイルバネ４Ａ２をそのバネ力に抗して圧縮しつつ、前方へ進出し、先端の噴出
口から洗浄水が噴出する。この噴出する洗浄水は、上記のように発熱したおしり（肛門）
洗浄用ノズル４Ａ内で加熱されるため、温水となって噴出する。
【００２７】
次に、ビデ洗浄モードについて説明する。誘導加熱コイル４２Ａ、４２Ｂの通電ＯＮ−
ＯＦＦスイッチ４５は、ＯＮ状態になっているものとする。ビデ洗浄開始スイッチ４３Ｂ
に対応する手動操作部８３を押してビデ洗浄開始スイッチ４３ＢをＯＮすることにより、
制御部６０の動作によって洗浄モードが開始する。このため、制御部６０の動作によって
、誘導加熱コイル４２Ｂに通電され、ビデ洗浄用ノズル４Ｂが誘導電流によって発熱する
。これと共に、制御部６０の動作によって、通電によって電磁弁４０が開くと共に、ステ
ッピングモータ４６が制御部６０からのパルス信号によってステップ作動して回動軸７０
が逆回転し、開閉弁４７機構では、水入口通路ＥＴと水出口通路ＸＴを連通するように開
閉弁４７が開いた状態となり、水道水圧が掛かる状態となる。また、このステッピングモ
ータ４６の動作によって、ノズル通路切り替え弁４８機構では、連通路４８Ａがビデ洗浄
用ノズル４Ｂ側の入口通路７４Ｂに連通した状態となる。このため、水道水圧が掛かるこ
とにより、洗浄水がビデ洗浄用ノズル４Ｂへ供給され、図６のように、その水圧によって
ビデ洗浄用ノズル４Ｂがコイルバネ４Ｂ２をそのバネ力に抗して圧縮しつつ、前方へ進出
し、先端の噴出口から洗浄水が噴出する。この噴出する洗浄水は、上記のように発熱した
ビデ洗浄用ノズル４Ｂ内で加熱されるため、温水となって噴出する。
【００２８】
おしり洗浄モードまたはビデ洗浄モードのいずれにおいても、噴出する洗浄水の流量は
、流量可変スイッチ４９Ａ、４９Ｂによって行なう。待機モードから洗浄モードになった
ときは、最大流量と最小流量の中間流量に設定されるようになっており、この状態から使
用者が水勢を強くするときは水勢調節スイッチ８７をＯＮ操作し、水勢を弱くするときは
水勢調節スイッチ８８をＯＮ操作することによって、制御部６０によってステッピングモ
ータ４６が作動して回動軸７０が回動し、それによってノズル通路切り替え弁４８の開度
（連通路４８Ａが筒体７１によって塞がれる範囲）が変わり、選択されたおしり洗浄用ノ
ズル４Ａまたはビデ洗浄用ノズル４Ｂから噴出する洗浄水の流量を可変できる。
【００２９】
おしり洗浄モードまたはビデ洗浄モードのいずれにおいても、洗浄停止スイッチ４４を
便座２の使用者がＯＮ操作することによって洗浄モードは停止する。洗浄停止スイッチ４
４をＯＮ操作することにより、制御部６０の動作によって、誘導加熱コイル４２Ｂへの通
電が非通電となる。これと共に、電磁弁４０が非通電となって導水管路を閉じると共に、
ステッピングモータ４６が制御部６０からのパルス信号によってステップ作動し、開閉弁
４７機構では、水入口通路ＥＴと水出口通路ＸＴを非連通状態とし、開閉弁４７が閉じた
状態に復帰し、また、ノズル通路切り替え弁４８機構も、連通路４８Ａが入口通路７４Ａ
、７４Ｂのいずれにも連通しない状態に復帰する。このようにして水道水圧が掛からなく
なるため、おしり洗浄用ノズル４Ａまたはビデ洗浄用ノズル４Ｂは、それぞれ対応するコ
イルバネ４Ａ２、４Ｂ２によって、図４のように、ノズルカバー４Ａ１、４Ｂ１内に収容
された状態に復帰する。
【００３０】
上記のように、洗浄ノズル４Ａ、４Ｂが磁性材で構成され、各ガイド筒を構成するノズ
ルカバー４Ａ１、４Ｂ１に取り付けた誘導加熱コイル４２Ａ、４２Ｂは、洗浄モードにて
通電され、洗浄ノズル４Ａ、４Ｂの発熱によってその中を流れる洗浄水を加熱する。この
ため、従来技術のような温水を生成するタンクやアルミニウム等で構成された加熱ブロッ
クも不要となり、それに伴う上記の問題も解決する。また、洗浄ノズル４Ａ、４Ｂそのも
のが発熱するため、洗浄ノズル４Ａ、４Ｂを衛生的に保つ効果も期待できる。
【００３１】
また、制御部６０の動作によって、着座検出装置２５の着座検出状態において洗浄開始
スイッチ４３Ａ、または４３Ｂによる洗浄指令が発せられたとき、弁装置（実施例では電
磁弁４０と開閉弁４７の二つ弁装置）を開いて対応する洗浄ノズル４Ａ、４Ｂを水圧によ
って進出させると共に、洗浄ノズル４Ａ、４Ｂから洗浄水を噴出させる洗浄モードとなり
、この洗浄指令によって誘導加熱コイル４２Ａ、４２Ｂに通電して洗浄ノズル４Ａ、４Ｂ
を誘導電流によって発熱させ、その中の洗浄水を加熱し、洗浄モードの終了によって誘導
加熱コイル４２Ａ、４２Ｂが非通電とする。洗浄水を洗浄ノズル４Ａ、４Ｂへ導入する導
入管を加熱する場合には、噴出の当初に若干冷たい洗浄水が噴出することとなるが、上記
の構成によって、洗浄ノズル４Ａ、４Ｂそのものが発熱するため、噴出の当初に若干冷た
い洗浄水が噴出することが少なくなり、温水を直ちに噴出することができるようになる。
また、タンク内に一定温度の温水を溜めておく従来方式では、洗浄モード以外でも電気ヒ
ータのＯＮ−ＯＦＦ制御によって温水温度を保つ必要があるが、本発明では、洗浄モード
以外での対応する誘導加熱コイル４２Ａ、４２Ｂの通電は実質不要となり、洗浄モード以
外での節電効果が向上する。
【００３２】
尚、上記実施例では、洗浄開始スイッチ４３Ａ、または４３Ｂによる洗浄指令が発せら
れたときに誘導加熱コイル４２Ａまたは４２Ｂへの通電を開始する様に構成しているが、
着座検出装置２５により着座を検出すると、例えば誘導加熱コイル４２Ａ、４２Ｂを弱電
流により通電し、または所定時間間隔で通電し、洗浄ノズル４Ａ、４Ｂを予熱する様に構
成しても良く、これにより、洗浄開始初期の冷水の噴出を極力防止する事が出来るもので
ある。
【００３３】
更に、上記実施例では、おしり洗浄用ノズル４Ａとビデ洗浄用ノズル４Ｂを各々備えた
、所謂２本ノズルの構成で説明しているが、これに限定されることなく、周知の１本ノズ
ルの先端におしり用洗浄水を噴出するおしり用噴出孔と、ビデ用洗浄水を噴出するビデ用
噴出孔とを備えたものや、おしり洗浄用ノズルの先端に、ビデ洗浄用ノズルを伸縮自在に
装着したものでも良く、この構成により、誘導加熱コイルをおしり用とビデ用に兼用する
ことで、コストダウンを図ることが出来るものである。
【００３４】
そして又、上記実施例では水道水の水圧により洗浄ノズルを洗浄位置に押し出している
が、周知の歯車やスチールベルトをモータによって回転或いは伸縮することで、ノズルを
洗浄位置に伸縮させる様に構成しても良い。
【００３５】
そして更に、上記実施例では、誘導加熱コイル４２Ａ、４２Ｂを一体に構成しているが
、洗浄用ノズル４Ａ、４Ｂを洗浄位置に押し出した時に、これらノズルに対向しない部分
を分割構成し、洗浄モード時にはこの分割構成部分への通電を停止することで、非対向部
分の空焚きによるコイル温度の上昇を防止する事が出来るものである。
【００３６】
尚、洗浄ノズル４Ａ、４Ｂを二重筒構成とし、洗浄ノズルが伸縮しても常に誘導加熱コ
イル４２Ａ、４２Ｂに洗浄ノズルが対向する様に構成すれば、誘導加熱コイル４２Ａ、４
２Ｂを分割する必要もなく、かつ、水道水と洗浄ノズルとの接触時間が長くなり、洗浄水
の加熱効率を向上する事が出来るものである。
【産業上の利用可能性】
【００３７】
本発明は、上記実施例に示した構成に限定されず、種々の形態の温水洗浄便座装置に適
用できるものであり、本発明の技術範囲において種々の形態を包含するものである。
【図面の簡単な説明】
【００３８】
【図１】本発明に係る温水洗浄便座装置の蓋が閉まった状態の斜視図である。
【図２】本発明に係る温水洗浄便座装置の蓋と機能部分のカバーを取り外した状態の機能部分と制御ボックス内を示す正面斜視図である。
【図３】本発明に係る温水洗浄便座装置の着座検出スイッチ装置部分の断面図である。
【図４】本発明に係る温水洗浄便座装置の待機モードを示す構成図である。
【図５】本発明に係る温水洗浄便座装置のおしり洗浄モードを示す構成図である。
【図６】本発明に係る温水洗浄便座装置のビデ洗浄モードを示す構成図である。
【図７】本発明に係る温水洗浄便座装置の制御装置の構成図である。
【符号の説明】
【００３９】
１・・・・・温水洗浄便座
２・・・・・便座
３・・・・・開閉蓋
４Ａ・・・・おしり洗浄用ノズル
４Ａ１・・・ガイド筒を構成するノズルカバー
４Ａ２・・・コイル状のバネ
４Ｂ・・・・ビデ洗浄用ノズル
４Ｂ１・・・ガイド筒を構成するノズルカバー
４Ｂ２・・・コイル状のバネ
７・・・・・カバー
８・・・・・基材部
９・・・・・電動機装置
１０・・・・機能部
１２・・・・電動機装置
２４・・・・便座の軸部
２５・・・・着座検出装置
２８・・・・タクトスイッチ
４０・・・・電磁弁
４１・・・・減圧弁
４２Ａ、４２Ｂ・・・誘導加熱コイル
４３Ａ・・・おしり洗浄開始スイッチ
４３Ｂ・・・ビデ洗浄開始スイッ
４４・・・・洗浄停止スイッチ
４６・・・・ステッピングモータ
４７・・・・開閉弁
４８・・・・ノズル通路切り替え弁
４８Ａ・・・連通路
６０・・・・制御部
７０・・・・回動軸
７１・・・・筒体
７２・・・・分岐部
７３・・・・中空通路
７４Ａ・・・おしり洗浄用ノズル４Ａ側の入口通路
７４Ｂ・・・ビデ洗浄用ノズル４Ｂ側の入口通路
８０・・・・制御ボックス
８１・・・・絶縁性基板
８２・・・・ＬＥＤ
８３・・・・手動操作部
８４・・・・カバー
８５・・・・可撓性薄板
【図１】
2009235834.tif 000003
【図２】
2009235834.tif 000004
【図３】
2009235834.tif 000005
【図４】
2009235834.tif 000006
【図５】
2009235834.tif 000007
【図６】
2009235834.tif 000008
【図７】
2009235834.tif 000009